(57)【要約】【課題】  第２のネットワークに接続されている機器から第１のネットワークに接続されている機器への着信状態、第１のネットワークに接続されている機器から第２のネットワークに接続されている機器への発信状態、データの種別等の通信状態を容易に、簡単な構成で確認することができる中継装置を提供する。【解決手段】  ヘッダ処理部１１ａ〜１１ｄは、受信部１１ａ〜１１ｄで受信したＩＰパケットのヘッダ情報に含まれている送信先アドレス情報とデータ種別情報を判別して制御部１５に出力する。制御部１５は、ヘッダ処理部１１ａ〜１１ｄで判別した送信先アドレス情報に基づいて、スイッチング部１４を制御し、内部ネットワークから外部ネットワークにＩＰパケットを中継しあるいは外部ネットワークから内部ネットワークにパケットを中継する。また、制御部１５は、ヘッダ処理部１１ａ〜１１ｄで判別した送信先アドレス情報とデータ種別情報に基づいて、ＩＰパケットを送信する送信先とデータ種別を表示装置２０に表示させる。【選択図】    図１
2005269457.tif 000002
【特許請求の範囲】
【請求項１】
第１のネットワークと第２のネットワークの間に設けられ、第１のネットワークから第２のネットワークあるいは第２のネットワークから第１のネットワークへのデータを中継する中継装置であって、
第２のネットワークから第１のネットワークに中継するデータの送信先、第２のネットワークから第１のネットワークに中継するデータの送信元、第１のネットワークから第２のネットワークに中継するデータの送信先、第１のネットワークから第２のネットワークに中継するデータの送信元、第２のネットワークから第１のネットワークあるいは第１のネットワークから第２のネットワークに中継するデータの種別の少なくとも１つに基づいた情報をリアルタイムで表示可能な表示手段、
を備えることを特徴とする中継装置。
【請求項２】
請求項１に記載の中継装置であって、
前記データには、送信先アドレス情報、送信元アドレス情報、データ種別情報の少なくとも１つを含むヘッダ情報が付加されており、
前記ヘッダ情報に含まれている送信先アドレス情報、送信元アドレス情報、データ種別情報の少なくとも１つを判別するヘッダ処理部と、
前記ヘッダ処理部の判別結果に基づいて前記表示手段を制御する表示制御手段と、
を備えることを特徴とする中継装置。
【請求項３】
第１のネットワークと第２のネットワークの間に設けられ、第１のネットワークから第２のネットワークあるいは第２のネットワークから第１のネットワークへのデータを中継する中継装置であって、
前記データには、送信先アドレス情報、送信元アドレス情報、データ種別情報のうち少なくとも送信先アドレス情報を含むヘッダ情報が付加されており、
前記データに付加されているヘッダ情報に含まれている送信先アドレス情報、送信元アドレス情報、データ種別情報のうち少なくとも送信先アドレス情報を判別するヘッダ処理部と、
前記ヘッダ処理部で判別した、ヘッダ情報に含まれている送信先アドレス情報に基づいて、当該ヘッダ情報が付加されているデータを第１のネットワークから第２のネットワークあるいは第２のネットワークから第１のネットワークに中継する中継制御手段と、
表示手段と、
前記ヘッダ処理部で判別した、ヘッダ情報に含まれている送信先アドレス情報、送信元アドレス情報、データ種別情報の少なくとも１つに基づいた情報を前記表示手段にリアルタイムで表示させる表示制御手段と、
を備えることを特徴とする中継装置。
【請求項４】
請求項１〜３のいずれかに記載の中継装置あって、
前記表示手段として、第２のネットワークから第１のネットワークに中継されるデータの送信先に対応する複数の表示灯あるいは第２のネットワークから第１のネットワークに中継されるデータの送信元に対応する複数の表示灯あるいは第１のネットワークから第２のネットワークに中継されるデータの送信先に対応する複数の表示灯あるいは第１のネットワークから第２のネットワークに中継されるデータの送信元に対応する複数の表示灯あるいはデータの種別に対応する複数の表示灯が設けられ、
前記表示制御手段は、データの送信先あるいはデータの送信元あるいはデータの種別の少なくとも１つに対応する表示灯を制御する、
ことを特徴とする中継装置。
【請求項５】
請求項１〜３のいずれかに記載の中継装置であって、
前記表示手段として、キャラクタを表示可能なキャラクタ表示手段が設けられ、
前記表示制御手段は、データの送信先あるいはデータの送信元あるいはデータの種別に対応するキャラクタを前記キャラクタ表示部に表示する、
ことを特徴とする中継装置。
【発明の詳細な説明】
【技術分野】
【０００１】
本発明は、異なるネットワーク間でデータを中継する中継装置に関し、特に、中継装置の表示技術に関する。
【背景技術】
【０００２】
ネットワーク間でデータを中継とする中継装置としてルータが知られている。例えば、ＩＳＤＮ（総合デジタル通信網）回線を介して、ＬＡＮ（構内通信網）（内部ネットワーク）と他のＬＡＮ（外部ネットワーク）の間でデータを中継するＩＳＤＮルータが知られている。このＩＳＤＮルータは、ＩＳＤＮポートとＬＡＮポートを有しており、ＩＳＤＮポートには、ＩＳＤＮ回線が接続され、ＬＡＮポートには、内部ネットワークを構成するＬＡＮ回線を介してパソコン等の機器（内部機器）が接続される。
ＩＳＤＮルータは、内部ネットワーク（内部ネットワークを構成するＬＡＮ回線）に接続されている機器（内部機器）から送信されたデータを、内部ネットワークに接続されている他の機器（他の内部機器）あるいはＩＳＤＮ回線を介して他のネットワークに接続されている機器（外部機器）に中継するルーティング処理や、ＩＳＤＮ回線を介して受信した他のネットワークに接続されている機器からのデータを内部ネットワークに接続されている内部機器に中継するルーティング処理を実行する。例えば、内部ネットワークに接続されている機器から、データと、データを送信する送信先の機器のアドレス（送信先アドレス）及びデータを送信した送信元の機器のアドレス（送信元アドレス）を含むヘッダ情報とにより構成されるパケットが送信される場合、パケットのヘッダ情報に含まれている送信先アドレスが、内部ネットワークに接続されている機器のアドレスであるかあるいは外部ネットワークに接続されている機器のアドレスであるかを判別し、判別結果に基づいてルーティング処理を実行する。
従来のＩＳＤＮルータは、ＩＳＤＮルータの動作状態を確認できるようにするために、ＩＳＤＮポートとＩＳＤＮ回線との間で通信が行われている否か、ＬＡＮポートとＬＡＮポートに接続されている機器との間で通信が行われているか否かを表示する表示手段（発光ダイオードや液晶表示器）を有している。また、内部ネットワークからＩＳＤＮ回線に発信中であるかあるいはＩＳＤＮ回線から内部ネットワークに着信中であるかを表示する表示手段（発光ダイオードや液晶表示装置）を有している。（特許文献１参照）
【特許文献１】特開２０００−１１５２５６号公報
【発明の開示】
【発明が解決しようとする課題】
【０００３】
ここで、内部のネットワークと外部ネットワークの間でデータを中継する中継システムにおいて、内部ネットワークに接続されている機器の稼動状態の確認や内部ネットワークの構成が適切であるか否か等を確認するために、外部ネットワークに接続されている機器（外部機器）から内部ネットワークに接続されている機器（内部機器）への着信状態、内部ネットワークに接続されている機器（内部機器）から外部ネットワークに接続されている機器（外部機器）への発信状態、内部ネットワークに接続されている機器（内部機器）あるいは外部ネットワークに接続されている機器（外部機器）に中継されたデータの種別等を確認することができる手法の開発が望まれている。
従来のルータでは、このような、外部機器から内部機器への着信状態、内部機器から外部機器への発信状態、データの種別等を確認することができない。
なお、外部機器から内部機器への着信履歴や内部機器から外部機器への発信履歴等を解析することによって、外部機器から内部機器への着信状態、内部機器から外部機器への発信状態、データの種別等を確認することが可能であるが、この方法は、時間と手間がかかる。
そこで、本発明が解決しようとする課題は、第１のネットワークと第２のネットワークの間でデータを中継する中継システムにおいて、第２のネットワークに接続されている機器から第１のネットワークに接続されている機器への着信状態、第１のネットワークに接続されている機器から第２のネットワークに接続されている機器への発信状態、データの種別等の通信状態を容易に、簡単な構成で確認することができる接続装置を提供することである。
【課題を解決するための手段】
【０００４】
前記課題を解決するための本発明の第１発明は、請求項１に記載されたとおりの中継装置である。
請求項１に記載の中継装置は、第２のネットワークから第１のネットワークに中継するデータの送信先、第２のネットワークから第１のネットワークに中継するデータの送信元、第１のネットワークから第２のネットワークに中継するデータの送信先、第１のネットワークから第２のネットワークに中継するデータの送信元、第２のネットワークから第１のネットワークあるいは第１のネットワークから第２のネットワークに中継するデータの種別の少なくとも１つに基づいた情報をリアルタイムで表示可能な表示手段を備えている。
ここで、「ネットワーク」は、複数の回線により構成されるネットワークでもよいし、１つの回線により構成されるネットワークでもよい。また、ネットワークに接続されている機器は、１台でもよいし複数台でもよい。そして、「第１のネットワーク」と「第２のネットワーク」は、両ネットワーク間でのデータを中継する中継装置が設けられているネットワークであればよい。
本発明の「中継装置」は、異なるネットワーク間でのデータの中継が可能であればよく、例えば、ルータ、ターミナルアダプタ、ハブ等が対応する。
「データの送信先」は、種々の方法で判別可能である。例えば、データに付加されるヘッダ情報に含まれる送信先アドレス情報によりデータの送信先を判別することができる。
各表示内容を表示手段に表示する方法としては、例えば、表示内容に対応させて設けた表示灯を制御する方法や、表示内容に対応させたキャラクタ等の画像情報を液晶表示器等に表示する方法を用いることができる。
前記した、用語の定義や説明は、以下の請求項に対しても同様である。
また、本発明の第２発明は、請求項２に記載されたとおりの中継装置である。
請求項２に記載の中継装置は、データに付加されるヘッダ情報に含まれている送信先アドレス情報、送信元アドレス情報、データ種別情報の少なくとも１つを判別するヘッダ処理部と、ヘッダ処理部の判別結果に基づいて表示手段を制御する表示制御手段を備えている。
また、本発明の第３発明は、請求項３に記載されたとおりの中継装置である。
請求項３に記載の中継装置は、表示手段と、データに付加されるヘッダ情報に含まれている送信先アドレス情報、送信元アドレス情報、データ種別情報のうち少なくとも送信先アドレス情報を判別するヘッダ処理部と、ヘッダ処理部で判別した送信先アドレス情報に基づいて第１のネットワークと第２のネットワークの間でデータを中継する中継制御手段と、ヘッダ処理部で判別した送信先アドレス情報、送信元アドレス情報、データ種別情報の少なくとも１つに基づいた情報を表示手段に表示させる表示制御手段を備えている。
また、本発明の第４発明は、請求項４に記載されたとおりの中継装置である。
請求項４に記載の中継装置では、表示手段として、各表示内容に対応させた表示灯を設け、表示制御手段により、少なくとも１つの表示内容に対応する表示灯を制御する。
また、本発明の第５発明は、請求項５に記載されたとおりの中継装置である。
請求項５に記載の中継装置では、表示手段として、キャラクタを表示可能なキャラクタ表示手段を設け、表示制御手段により、少なくとも１つの表示内容に対応するキャラクタをキャラクタ表示部に表示する。
【発明の効果】
【０００５】
請求項１に記載の中継装置を用いれば、第２のネットワークから第１のネットワークに中継するデータの送信先、第２のネットワークから第１のネットワークに中継するデータの送信元、第１のネットワークから第２のネットワークに中継するデータの送信先、第１のネットワークから第２のネットワークに中継するデータの送信元、第２のネットワークから第１のネットワークあるいは第１のネットワークから第２のネットワークに中継するデータの種別、すなわち、第２のネットワークに接続されている機器から第１のネットワークに接続されている機器への着信状態、第１のネットワークに接続されている機器から第２のネットワークに接続されている機器への発信状態、データの種別等の通信状態を容易に、簡単な構成で確認することができる
請求項２に記載の中継装置を用いれば、データの送信先、データの送信元、データの種別を容易に判別することができる。
請求項３に記載の中継装置を用いれば、第１のネットワークから第２のネットワークあるいは第２のネットワークから第１のネットワークに中継されるデータの送信先あるいは送信元あるいはデータ種別等の通信状態を容易に確認することができる。
請求項４に記載の中継装置を用いれば、各表示内容に対応する表示灯が点灯あるいは消灯制御されるため、各表示内容をより容易に、確実に確認することができる。
請求項５に記載の中継装置を用いれば、各表示内容に対応するキャラクタがキャラクタ表示手段に表示されるため、各表示内容をより容易に、確実に確認することができる。
【発明を実施するための最良の形態】
【０００６】
以下に、本発明の実施の形態を図面を参照して説明する。
図１に、本発明の一実施の形態の概略構成図を示す。本実施の形態は、本発明を、ＡＤＳＬ（非対称型デジタル加入者回線）回線、ＣＡＴＶ（ケーブルテレビ）回線や光回線等のＷＡＮ（広域通信網）回線を介して異なるＬＡＮ間でのＩＰ（インターネット・プロトコル）パケットを中継するルータ（「ブローバンドルータ」ともいう）に用いたものである。
本実施の形態のルータ１０は、１つのＷＡＮポートと、３つのＬＡＮポート１〜３を有している。ＷＡＮポートにはＡＤＳＬ回線等のＷＡＮ回線が接続され、ＬＡＮポート１〜３にはＬＡＮ回線が接続される。ＬＡＮ回線には、パソコン等の機器が直接あるいはハブ等を介して接続される。本実施の形態では、ＬＡＮポート１〜３に接続されるＬＡＮ回線等によって１つのＬＡＮ（第１のネットワーク）が構成される。勿論、ＬＡＮポート１〜３全てを使用する必要はない。
ＬＡＮポート１〜３には、ＬＡＮ回線に接続された機器（第１のネットワークに接続されている第１の機器）から送信されたＩＰパケットを受信する受信部１１ａ〜１１ｃ、ＬＡＮポート１〜３に接続されているＬＡＮ回線を介して機器（第１の機器）にＩＰパケットを送信する送信部１２ａ〜１２ｃが接続されている。また、ＷＡＮポートには、ＷＡＮ回線からのＩＰパケットを受信する受信部１１ｄ、ＷＡＮ回線にＩＰパケットを送信する送信部１２ｄが接続されている。受信部１１ａ〜１１ｄは、ヘッダ処理部１３ａ〜１３ｄを介してスイッチング部１４に接続されている。また、送信部１２ａ〜１２ｄも、スイッチング部１４に接続されている。
ヘッダ処理部１３ａ〜１３ｄは、受信部１１ａ〜１１ｄで受信されたＩＰパケットのヘッダ情報に含まれている送信元アドレス情報、送信先アドレス情報やデータ種別情報等を読み取って制御部１５に出力する。また、ヘッダ処理部１３ａ〜１３ｄは、制御部１５からの書替信号により、受信部１１ａ〜１１ｄで受信したＩＰパケットのヘッダ情報の送信先アドレス情報を書き替える。
【０００７】
スイッチング部１４は、制御部１５からのスイッチング信号により制御され、ヘッダ処理部１３ａ〜１３ｄから出力されるＩＰパケットの中継経路を設定する。
制御部１５は、ヘッダ処理部１３ａ〜１３ｄで読み取った、ＩＰパケットのヘッダ情報に含まれている送信先アドレス情報と、記憶部１６に記憶されているルーティングテーブルとに基づいて、ＩＰパケットの中継経路を決定し、スイッチング部１４にスイッチング信号を出力する。
本実施の形態では、スイッチング部１４は、ＬＡＮ（第１のネットワーク）に接続されている機器（第１の機器）からのＩＰパケットをＷＡＮ回線を介して他のＬＡＮ（第２のネットワーク）に中継する処理や、ＷＡＮ回線を介した他のＬＡＮ（第２のネットワーク）からのＩＰパケットをＬＡＮ（第１のネットワーク）に接続されている機器（第１の機器）に中継する処理（ルータの機能）だけでなく、ＬＡＮ（第１のネットワーク）に接続されている機器（第１の機器）からのＩＰパケットをＬＡＮ（第１のネットワーク）に接続されている他の機器（他の第１の機器）に伝送する処理（スイッチングハブの機能）も実行する。
記憶部１６のルーティングテーブルには、ＩＰパケットを、送信先アドレスの機器に送信するためのルーティング情報が記憶されている。例えば、ＩＰパケットを送信する送信先の機器のＩＰアドレスと、そのＩＰアドレスの機器に送信するＩＰパケットを転送する転送先のルータのＩＰアドレスとの対応関係を示すルーティング情報が記憶されている。各ルータにこのようなルーティングテーブルを記憶させておくことにより、ＩＰパケットは、ルータを介して送信元の機器から送信先の機器に中継される。ルーティングテーブルには、ＬＡＮ（第１のネットワーク）に接続されている機器（第１の機器）のＩＰアドレスや、どのＬＡＮポート１〜３に接続されているかを示す情報も記憶されている。
【０００８】
ここで、ＩＰパケットの構成を図２に示す。
図２に示すＩＰパケットは、ヘッダ情報とデータにより構成されている。
ヘッダ情報には、ＩＰパケットを送信した送信元の機器のＩＰアドレスを示す送信元アドレス情報、ＩＰパケットを送信する送信先の機器のＩＰアドレスを示す送信先アドレス情報、データの種別を示すデータ種別情報（例えば、テキストデータであることを示すテキストデータ種別情報、画像データであることを示す画像データ種別情報、音声データであることを示す音声データ種別情報等）等が含まれている。
【０００９】
また、ルータ１０には、表示装置２０が設けられている。
本実施の形態では、表示装置２０には、図４に示されているように、表示内容に対応した複数の表示灯（例えば、ＬＥＤ）が設けられている。
図４では、第１のネットワークに接続されている第１の機器からのＩＰパケットが第２のネットワークに接続されている第２の機器に伝送される場合、あるいは第２のネットワークに接続されている第２の機器からのＩＰパケットが第１のネットワークに接続されている第１の機器に伝送される場合に点灯制御される表示灯が設けられている。
すなわち、第１のネットワークに接続されている第１の機器からのＩＰパケットが第２のネットワークに接続されている第２の機器に伝送される場合に、送信先である第２の機器を示す表示灯２１ａ〜２１ｃが、第２の機器に対応させて設けられている。さらに、表示灯２１ａ〜２１ｃに対応させて、第２の機器を示す表示部２２ａ〜２２ｃが設けられている。図４では、表示灯２１ａ〜２１ｃに対応させて、第２の機器［Ａ］〜［Ｃ］を示す表示部２２ａ〜２２ｃが設けられている。
また、第２のネットワークに接続されている第２の機器からのＩＰパケットが第１のネットワークに接続されている第１の機器に伝送される場合に、送信先である内部機器を示す表示灯２３ａ〜２３ｃが、第１の機器に対応させて設けられている。さらに、表示灯２３ａ〜２３ｃに対応させて、第１の機器を示す表示部２４ａ〜２４ｃが設けられている。図４では、表示灯２３ａ〜２３ｃに対応させて、第１の機器が接続されているＬＡＮポート［ＬＡＮ１］、［ＬＡＮ２］、［ＬＡＮ３］を示す表示部２４ａ〜２４ｃが設けられている。
また、第１のネットワークに接続されている第１の機器からのＩＰパケットが第２の機器に中継される場合あるいは第２の機器からのＩＰパケットが第１のネットワークに接続されている第１の機器に伝送される場合に、ＩＰパケットのヘッダ情報に含まれているデータ種別（例えば、「テキストデータ」、「画像データ」、「音声データ」等）を示す表示灯２５ａ〜２５ｃが、データ種別に対応させて設けられている。さらに、表示灯２５ａ〜２５ｃに対応させて、データ種別を示す表示部２５ａ〜２６ｃが設けられている。図４では、表示灯２５ａ〜２５ｃに対応させて、表示種別［テキスト］、［画像］、［音声］を示す表示部２６ａ〜２６ｃが設けられている。
なお、ＬＡＮポート１〜３のいずれかにハブ等を介して複数の機器が接続されている場合には、各機器に対応させて表示灯を設けてもよい。この場合には、機器名を示す表示部を設けるのが好ましい。
また、表示装置２０の表示灯の数は、表示内容の数等に応じて適宜変更可能である。
また、表示装置２０（表示灯）の配設位置は、ルータ１０の各構成要素を収容するケースの正面側や背面等、外部から視認が可能な適宜の位置を選択することができる。
【００１０】
本実施の形態では、ルータ１０が本発明の「中継装置」に対応し、ヘッダ処理部１３ａ〜１３ｄが本発明の「ヘッダ処理部」に対応し、表示装置２０に設けられている表示灯２１ａ〜２１ｃ、２３ａ〜２３ｃ、２５ａ〜２５ｃが本発明の「表示手段」に対応する。
また、スイッチング部１４や制御部１５等により本発明の「中継制御部」が構成され、制御部１５等によって本発明の「表示制御手段」が構成されている。
【００１１】
次に、本実施の形態の動作を説明する。
以下では、図３に示すように、ルータ１０のＬＡＮポート1〜３に第１の機器としてのパソコンＰＣ１〜ＰＣ３が接続され、また、ルータ１０のローカルＩＰアドレスが［１９２．１６８．１．１］、パソコンＰＣ１のローカルＩＰアドレスが［１９２．１６８．１．２］、パソコンＰＣ２のローカルＩＰアドレスが［１９２．１６８．１．３］、パソコンＰＣ３のローカルＩＰアドレスが［１９２．１６８．１．２］、パソコンＰＣ１〜ＰＣ３からＷＡＮ回線を介して第２の機器にＩＰパケットを伝送する場合（第１のネットワークに接続されている第１の機器から第２のネットワークに接続されている第２の機器にデータを中継する場合）に使用するルータ１０のグローバルＩＰアドレス（第１のネットワークのグローバルＩＰアドレス）が［ｘｘｘ．ｘｘｘ．ｘｘｘ．ｘｘｘ］に設定されている場合について説明する。
なお、ＩＰアドレスは、ネットワーク番号とホスト番号により構成されている。例えば、ＩＰアドレス［１９２．１６８．１．１］の場合、最初の３つの数字［１９２．１６８．１］がネットワーク番号を示し、最後の１つの数字［１］が第１のネットワークに接続されている第１の機器のホスト番号を示す。
【００１２】
まず、第１のネットワークに接続されている第１の機器から第２のネットワークに接続されている第２の機器にデータを伝送する場合について説明する。いま、ＬＡＮポート１（第１のネットワーク）に接続されているパソコンＰＣ１から、第２のネットワークに接続されている第２の機器（グローバルＩＰアドレス［ＡＡＡ．ＡＡＡ．ＡＡＡ．ＡＡＡ］）にテキストデータを送信したものとする。
この場合、パソコンＰＣ１は、自己のＩＰアドレス［１９２．１６８．１．２］を送信元アドレス情報、送信先のＩＰアドレス［ＡＡＡ．ＡＡＡ．ＡＡＡ．ＡＡＡ］を送信先アドレス情報、［テキストデータ種別情報］をデータ種別情報として含むヘッダ情報とテキストデータにより構成されるＩＰパケットを送信する。
受信部１１ａは、パソコンＰＣ１から送信されたＩＰパケットをＬＡＮポート１を介して受信し、ヘッダ処理部１３ａに出力する、
ヘッダ処理部１３ａは、受信部１１ａで受信したＩＰパケットのヘッダ情報を読み取って制御部１５に出力する。この場合、受信部１１ａで受信したＩＰパケットのヘッダ情報に含まれている送信元アドレス情報［１９２．１６８．１．２］、送信先アドレス情報［ＡＡＡ．ＡＡＡ．ＡＡＡ．ＡＡＡ］、［テキストデータ種別情報］を読み取る。
【００１３】
制御部１５は、ヘッダ処理部１３ａで読み取った送信先アドレス情報［ＡＡＡ．ＡＡＡ．ＡＡＡ．ＡＡＡ］の機器が第１のネットワークに接続されているか第２のネットワークに接続されているか、すなわち、第１の機器であるか第２の機器であるかを判別する。
送信先アドレス情報の機器が第１の機器であるか第２の機器であるかは、例えば、送信先アドレス情報として用いられるＩＰアドレスのネットワーク番号が内部ネットワークのネットワーク番号と一致するか否かによって判別することができる。
そして、制御部１５は、送信先アドレス情報［ＡＡＡ．ＡＡＡ．ＡＡＡ．ＡＡＡ］の機器が第１のネットワークに接続されている第１の機器であることを判別した場合には、受信部１１ａで受信したＩＰパケットを、送信先アドレス情報の機器が接続されているＬＡＮ回線に送信する。例えば、送信先アドレス情報［ＡＡＡ．ＡＡＡ．ＡＡＡ．ＡＡＡ］の機器がＬＡＮポート２にＬＡＮ回線を介して接続されているパソコンＰＣ２である場合には、スイッチング部１４にスイッチング信号を出力し、受信部１１ａで受信したＩＰパケットを、ＬＡＮポート２に接続されている送信部１２ｂに伝送する。
この場合には、ＩＰパケットが第１のネットワーク内を伝送するため、ＩＰパケットのヘッダ情報の書き替えは行われない。
【００１４】
一方、制御部１５は、送信先アドレス情報［ＡＡＡ．ＡＡＡ．ＡＡＡ．ＡＡＡ］の機器が第２のネットワークに接続されている外部機器であることを判別した場合には、送信元アドレス情報を送信先で認識できるようにするために、受信部１１ａで受信したＩＰパケットのヘッダ情報に含まれている送信元アドレス情報を、パソコンＰＣ１のローカルＩＰアドレス［１９２．１６８．１．２］から、ルータ１０のグローバルＩＰアドレス（内部ネットワークのグローバルＩＰアドレス）［ｘｘｘ．ｘｘｘ．ｘｘｘ．ｘｘｘ］に書き替える書替信号をヘッダ処理部１３ａに出力する。
また、制御部１５は、受信部１１ａで受信したＩＰパケットのヘッダ情報に含まれている送信先アドレス情報［ＡＡＡ．ＡＡＡ．ＡＡＡ．ＡＡＡ］と、記憶部１６に記憶されているルーティングテーブルに基づいて、送信先アドレス情報［ＡＡＡ．ＡＡＡ．ＡＡＡ．ＡＡＡ］の機器にＩＰパケットを送信するために、ＩＰパケットを転送するルータのＩＰアドレスを判別する。いま、ＩＰパケットを転送するルータのＩＰアドレス［ｋｋｋ．ｋｋｋ．ｋｋｋ．ｋｋｋ］を判別したものとする。
さらに、制御部１５は、スイッチング部１４にスイッチング信号を出力して、ヘッダ処理部１３ａでヘッダ情報が書き替えられたＩＰパケットを、ＷＡＮポートに接続されている送信部１２ｄに転送する。
これにより、受信部１１ａで受信されたＩＰパケットは、ヘッダ処理部１３ａによって送信元アドレス情報が［ｘｘｘ．ｘｘｘ．ｘｘｘ．ｘｘｘ］に書き替えられた後、送信部１２ｄからＷＡＮ回線を介して、ＩＰアドレス［ｋｋｋ．ｋｋｋ．ｋｋｋ．ｋｋｋ］のルータに送信される。
この時、制御部１５は、ＬＡＮポート１に接続されているＩＰアドレス［１９２．１６８．１．２］のパソコンＰＣ１が、ＩＰアドレス［ＡＡＡ．ＡＡＡ．ＡＡＡ．ＡＡＡ］の機器にデータを送信したことを記憶部１６に記憶する。
【００１５】
また、制御部１５は、第１の機器から第２の機器にＩＰパケットを送信すると、表示装置２０に表示信号を出力して送信先の第２の機器と送信したデータの種別を表示装置２０に表示する。
ここで、送信先の第２の機器とデータ種別は、ヘッダ処理部１３ａで読み取ったＩＰパケットのヘッダ情報に基づいて判別することができる。この場合、ＩＰパケットのヘッダ情報に含まれている送信先アドレス情報［ＡＡＡ．ＡＡＡ．ＡＡＡ．ＡＡＡ］により送信先の第２の機器が［Ａ］であること、また、データ種別情報［テキストデータ種別情報］により送信したデータがテキストデータであることを判別する。
そして、制御部１５は、第２の機器［Ａ］に対応する表示灯２１ａを点灯させるとともに、データ種別「テキスト」に対応する表示灯２５ａを点灯させる表示信号を表示装置２０に出力する。
この場合、少なくともＩＰパケットをＷＡＮ回線に送信している間、表示装置２０の各表示灯を点灯させるのが好ましい。これにより、送信先や情報種別をリアルタイムに確認することができる。
表示装置２０の表示灯２１ａ及び表示灯２５ａが点灯することによって、内部ネットワークに接続されている第１の機器から第２の機器［Ａ］に、テキストデータが送信されたことを容易に確認することができる。
【００１６】
以上の説明では、第１の機器から第２の機器にＩＰパケットを送信する場合、送信元アドレス情報を、第１の機器に設定されているローカルＩＰアドレスから内部ネットワークに設定されているグローバルＩＰアドレスに書き替えたが、第１の機器のアドレスとしてグローバルＩＰアドレスのような外部からアクセス可能なアドレスを用いる場合には、送信元アドレス情報を書き替える処理は不要である。
【００１７】
次に、外部ネットワークに接続されている第２の機器から内部ネットワークに接続されている第１の機器にデータを伝送する場合について説明する。
いま、前述した、第１のネットワークに接続されているパソコンＰＣ１からＷＡＮ回線を介して、ＩＰアドレス［ＡＡＡ．ＡＡＡ．ＡＡＡ．ＡＡＡ］の第２の機器［Ａ］にテキストデータを送信しことに応答して、第２の機器［Ａ］から、ルータ１０のグローバルＩＰアドレス（内部ネットワークのグローバルＩＰアドレス）［ｘｘｘ．ｘｘｘ．ｘｘｘ．ｘｘｘ］宛に画像データが送信されたものとする。
この場合、第２の機器［Ａ］は、送信元アドレス情報として自己のＩＰアドレス［ＡＡＡ．ＡＡＡ．ＡＡＡ．ＡＡＡ］、送信先アドレス情報としてルータ１０のグローバルＩＰアドレス［ｘｘｘ．ｘｘｘ．ｘｘｘ．ｘｘｘ］、データ種別情報として［画像データ種別情報］を含むヘッダ情報と画像データにより構成されるＩＰパケットを送信する。
このＩＰパケットは、ルータ間を転送されてルータ１０に伝送される。
【００１８】
ルータ１０の受信部１１ｄは、第２の機器［Ａ］から送信されたＩＰパケットをＷＡＮポートを介して受信すると、ヘッダ処理部１３ｄに出力する。
ヘッダ処理部１３ｄは、受信部１１ｄで受信したＩＰパケットのヘッダ情報を読み取って制御部１５に出力する。この場合、ＩＰパケットのヘッダ情報に含まれている送信元アドレス情報［ＡＡＡ．ＡＡＡ．ＡＡＡ．ＡＡＡ］、送信先アドレス情報［ｘｘｘ．ｘｘｘ．ｘｘｘ．ｘｘｘ］、［画像データ種別情報］を読み取る。
【００１９】
制御部１５は、ヘッダ処理部１３ｄで読み取った送信元アドレス情報［ＡＡＡ．ＡＡＡ．ＡＡＡ．ＡＡＡ］と、記憶手段１６に記憶されている記憶情報に基づいて、受信したＩＰパケットが、第１のネットワークに接続されている第１の機器からＩＰアドレス［ＡＡＡ．ＡＡＡ．ＡＡＡ．ＡＡＡ］の第２の機器へのデータの送信に対応する応答であるか否かを判別する。例えば、ＩＰアドレス［ＡＡＡ．ＡＡＡ．ＡＡＡ．ＡＡＡ］の第２の機器からのＩＰパケットを受信した時刻から設定時間以内前に、ＩＰアドレス［ＡＡＡ．ＡＡＡ．ＡＡＡ．ＡＡＡ］の第２の機器にデータを送信した第１の機器が存在するか否かを判別する。この場合、設定時間以内前に、第１のネットワークに接続されているパソコンＰＣ１からＩＰアドレス［ＡＡＡ．ＡＡＡ．ＡＡＡ．ＡＡＡ］の第２の機器にデータを送信したことが記憶されているため、受信部１１ｄで受信した、ＩＰアドレス［ＡＡＡ．ＡＡＡ．ＡＡＡ．ＡＡＡ］の第２の機器からのＩＰパケットは、パソコンＰＣ１からＩＰアドレス［ＡＡＡ．ＡＡＡ．ＡＡＡ．ＡＡＡ］の第２の機器へのデータの送信に対する応答であることを判別する。
これにより、制御部１５は、受信部１１ｄで受信した、ＩＰアドレス［ＡＡＡ．ＡＡＡ．ＡＡＡ．ＡＡＡ］の第２の機器からのＩＰパケットをパソコンＰＣ１に伝送するための処理を実行する。
すなわち、ヘッダ処理部１３ｄに、受信部１１ｄで受信したＩＰパケットのヘッダ情報に含まれている送信先アドレスを、ルータ１０のグローバルＩＰアドレス（第１のネットワークのグローバルアドレス）［ｘｘｘ．ｘｘｘ．ｘｘｘ．ｘｘｘ］から、第１の機器であるパソコンＰＣ１のローカルＩＰアドレス［１９２．１６８．１．２］に書き替える書替信号を出力する。
また、制御部１５は、スイッチング部１４にスイッチング信号を出力し、ヘッダ処理部１３ｄによって送信先アドレス情報が書き替えられたＩＰパケットを、ＬＡＮポート１に接続されている送信部１２ａに伝送する。
これにより、第２の機器［Ａ］から送信された画像データは、送信部１２ａからＬＡＮポート１を介してパソコンＰＣ１で受信される。
【００２０】
また、制御部１５は、第２の機器からのＩＰパケットを第１の機器に送信すると、表示装置２０に表示信号を出力して送信先の第１の機器と送信したデータの種別を表示装置２０に表示する。
この場合、ヘッダ処理部１３ｄでデータ種別情報［画像データ種別情報］を読み取り、受信したＩＰパケットをＬＡＮポート１に接続されているパソコンＰＣ１に中継したため、パソコンＰＣ１（本実施の形態では、パソコンＰＣ１が接続されているＬＡＮポート［ＬＡＮ１］）に対応する表示灯２３ａ、データ種別「画像」に対応する表示灯２５ｂを点灯させる制御信号を表示装置２０に出力する。
表示装置２０の表示灯２３ａ及び表示灯２５ｂが点灯することによって、第２の機器から、第１の機器であるパソコンＰＣ１（本実施の形態では、パソコンＰＣ１が接続されているＬＡＮ回線［ＬＡＮ１］）に、画像データが送信されたことを容易に確認することができる。
【００２１】
第１の機器のアドレスとしてローカルＩＰアドレスを用いている場合には、第２の機器から第１の機器にアクセスすることができない。
そのため、以上の説明では、第１の機器から第２の機器へのデータの送信に応答して、第２の機器から第１の機器にデータが送信されたことにより、データの送信先である第１の機器を判別する場合について説明したが、第１の機器のアドレスとしてグローバルＩＰアドレスのような外部からアクセス可能なアドレスを用いる場合には、第１の機器から第２の機器へのデータの送信に対する応答時以外の時でもデータの送信先である第１の機器を判別することができおる。
【００２２】
以上のように、本実施の形態では、第１のネットワークに接続されている第１の機器から第２のネットワークに接続されている第２の機器にデータが送信される場合や、第２のネットワークに接続されている第２の機器から第１のネットワークに接続されている第１の機器にデータが送信される場合に、送信先とデータ種別が表示手段に表示されるため、通信状態を容易に判別することができる。
これにより、第１のネットワークに接続されている機器の稼動状態の確認や第１のネットワークの構成が適切であるか否か等を容易に確認することができる。
【００２３】
本発明は、実施の形態で説明した構成に限定されず、種々の変更、追加、削除が可能である。
例えば、第１のネットワークに接続されている第１の機器から第２のネットワークに接続されている第２の機器にデータが送信される場合や、第２のネットワークに接続されている第２の機器から第１のネットワークに接続されている第１の機器にデータが送信される場合に、送信先とデータ種別を表示手段に表示したが、第１のネットワークに接続されている第１の機器から第２のネットワークに接続されている第２の機器にデータが送信される場合、あるいは第２のネットワークに接続されている第２の機器から第１のネットワークに接続されている第１の機器にデータが送信される場合の一方でのみ、送信先とデータ種別を表示手段に表示するように構成してもよい。
また、送信先とデータ種別を表示したが、送信先あるいはデータ種別の一方のみを表示するように構成してもよい。
また、表示装置に送信元を表示させてもよい。
さらに、第１の機器から第２の機器あるいは第２の機器から第１の機器へのデータの中継時に、送信先あるいは送信元あるいはデータ種別の少なくとも１つに基づくデータを表示すればよい。
また、表示手段として表示灯を用いたが、表示手段としては種々の表示手段を用いることができる。例えば、液晶表示器を用い、表示内容（送信先やデータ種別）に応じてキャラクタ等の画像を表示するように構成してもよい。
また、１つのＷＡＮポートと３つのＬＡＮポートを有するルータについて説明したが、ポートの数は適宜変更可能である。
また、１つのＬＡＮポートに１台の機器を接続した場合について説明したが、本発明は１つのＬＡＮポートにハブ等を介して複数台の機器を接続する場合にも適用することができる。
また、第１のネットワークと第２のネットワークの間でデータを中継する場合について説明したが、本発明は、複数のネットワーク間でデータを中継する場合に適用することができる。この場合、各ネットワークに接続されている機器に対応させて表示灯を設けるのが好ましい。
また、ＷＡＮ回線を介して異なるＬＡＮが接続されている中継システムに用いられるルータについて説明したが、本発明は、ＩＳＤＮ回線を介して異なるＬＡＮが接続される中継システムに用いられるルータや、異なるＬＡＮが直接に接続されている中継システムに用いられるルータにも適用することができる。
また、内部ネットワークや外部ネットワークに接続される機器の数は１台でもよい。この場合、１台の機器への接続回線がネットワーク回線に対応する。
また、ルータについて説明したが、本発明は異なるネットワーク間でデータを伝送する場合に適用することができる。例えば、複数のポートを有するターミナルアダプタやハブに適用することができる。
また、表示手段として、液晶やＬＥＤがマトリックス状に並べられた表示部等を用いて、キャラクタを表示してもよい。この場合、表示内容に対応するキャラクタを表示するのが好ましい。
【図面の簡単な説明】
【００２４】
【図１】本発明の一実施の形態の概略構成図である。
【図２】パケットの１例の構成図である。
【図３】ＬＡＮ側のＩＰアドレスとＷＡＮ側のＩＰアドレスを
【図４】表示手段の構成を示す図である。
【符号の説明】
【００２５】
１０  ルータ
１１ａ〜１１ｄ  受信部
１２ａ〜１２ｄ  送信部
１３ａ〜１３ｓ  ヘッダ処理部
１４  スイッチング部
１５  ルーティング制御部
１６  記憶部
２０  表示部
２１ａ〜２１ｃ、２２ａ〜２２ｃ、２３ａ〜２３ｃ  表示灯
【図１】
2005269457.tif 000003
【図２】
2005269457.tif 000004
【図３】
2005269457.tif 000005
【図４】
2005269457.tif 000006